(57)【要約】【課題】  本発明は内容物が充填された容器内の上部空間の空気と不活性ガスを、フラッシュ時に周囲の空気を巻き込んだりすることなく、効率よく確実に置換することができるガス置換方法およびガス置換用フラッシュノズルを得るにある。【解決手段】内容物が充填されてコンベヤーで搬送されてくる容器がキャップがされる直前に、該容器内へ不活性ガスをフラッシュノズルでフラッシュして置換するガス置換方法において、前記不活性ガスのフラッシュを前記容器の開口部より外径寸法が小径で、該開口部のほぼ中央部へ置換ノズルで不活性ガスをフラッシュするとともに、該置換ノズルの外周部を覆う空気の巻き込みを防止する空気巻き込み防止ノズルで容器の開口部周縁へ不活性ガスをフラッシュしながら行なうことでガス置換方法を構成している。【選択図】  図８
2006315733.tif 000002
【特許請求の範囲】
【請求項１】
内容物が充填されてコンベヤーで搬送されてくる容器がキャップがされる直前に、該容器内へ不活性ガスをフラッシュノズルでフラッシュして置換するガス置換方法において、前記不活性ガスのフラッシュを前記容器の開口部より外径寸法が小径で、該開口部のほぼ中央部へ置換ノズルで不活性ガスをフラッシュするとともに、該置換ノズルの外周部を覆う空気の巻き込みを防止する空気巻き込み防止ノズルで容器の開口部周縁へ不活性ガスをフラッシュしながら行なうことを特徴とするガス置換方法。
【請求項２】
容器の開口部より外径寸法が小径で、該容器の開口部のほぼ中央部へ不活性ガスをフラッシュすることができる第１の不活性ガス供給ホースに接続される置換ノズルと、この置換ノズルの外周部を覆い、容器の開口部の周縁へ不活性ガスをフラッシュすることができる第２の不活性ガス供給ホースに接続される空気巻き込み防止ノズルとからなることを特徴とするガス置換用フラッシュノズル。
【請求項３】
置換ノズルよりフラッシュされる不活性ガスの流速よりも空気巻き込み防止ノズルよりフラッシュされる不不活性ガスの流速が低いことを特徴とする請求項１、2いずれかに記載にガス置換方法およびガス置換用フラッシュノズル。
【請求項４】
置換ノズルと空気巻き込み防止ノズルの先端部はほぼ同一面の傾斜面に形成されていることを特徴とする請求項１、2いずれかに記載にガス置換方法およびガス置換用フラッシュノズル。
【請求項５】
空気巻き込み防止ノズルは順次拡開する拡開部を介して傾斜面の先端部に接続されるものを使用するとともに、前記拡開部の小径部位にフィルターが介装されていることを特徴とする請求項１、2いずれかに記載にガス置換方法およびガス置換用フラッシュノズル。
【発明の詳細な説明】
【技術分野】
【０００１】
本発明はアルミボトル缶、ペットボトル、ビン等のキャップを用いる容器のガス置換およびガス置換用フラッシュノズルに関する。
【背景技術】
【０００２】
従来、キャップを用いる容器の内容物の充填後の上部に位置する空間部に位置する空気を不活性ガスに置換するために、該容器の開口部よりも小さな外径寸法のノズルで不活性ガスをフラッシュして行なっている。
【０００３】
しかしながら、不活性ガスを容器内へのフラッシュ時に、容器の開口部の周縁部の空気を巻き込み、十分に置換することができないという欠点があった。
【特許文献１】特開平９−２７８０１６
【発明の開示】
【発明が解決しようとする課題】
【０００４】
本発明は以上のような従来の欠点に鑑み、内容物が充填された容器内の上部空間の空気と不活性ガスを、フラッシュ時に周囲の空気を巻き込んだりすることなく、効率よく確実に置換することができるガス置換方法およびガス置換用フラッシュノズルを提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は内容物が充填されてコンベヤーで搬送されてくる容器がキャップがされる直前に、該容器内へ不活性ガスをフラッシュノズルでフラッシュして置換するガス置換方法において、前記不活性ガスのフラッシュを前記容器の開口部より外径寸法が小径で、該開口部のほぼ中央部へ置換ノズルで不活性ガスをフラッシュするとともに、該置換ノズルの外周部を覆う空気の巻き込みを防止する空気巻き込み防止ノズルで容器の開口部周縁へ不活性ガスをフラッシュしながら行なうことでガス置換方法を構成している。
【０００７】
本発明は容器の開口部より外径寸法が小径で、該容器の開口部のほぼ中央部へ不活性ガスをフラッシュすることができる第１の不活性ガス供給ホースに接続される置換ノズルと、この置換ノズルの外周部を覆い、容器の開口部の周縁へ不活性ガスをフラッシュすることができる第２の不活性ガス供給ホースに接続される空気巻き込み防止ノズルとでガス置換用フラッシュノズルを構成ている。
【発明の効果】
【０００８】
以上の説明から明らかなように、本発明にあっては次に列挙する効果が得られる。
【０００９】
（１）内容物が充填されてコンベヤーで搬送されてくる容器がキャップがされる直前に、該容器内へ不活性ガスをフラッシュノズルでフラッシュして置換するガス置換方法において、前記不活性ガスのフラッシュを前記容器の開口部より外径寸法が小径で、該開口部のほぼ中央部へ置換ノズルで不活性ガスをフラッシュするとともに、該置換ノズルの外周部を覆う空気の巻き込みを防止する空気巻き込み防止ノズルで容器の開口部周縁へ不活性ガスをフラッシュしながら行なうので、内容物が充填された容器の開口部内へ置換ノズルで不活性ガスをフラッシュして、内部の空気を押し出し不活性ガスと置換するとともに、押し出された空気や開口部の周囲の空気を空気巻き込み防止ノズルでフラッシュされる不活性ガスで再流入するのを阻止することができる。
したがって、効率よく確実に不活性ガスと置換することができる。
【００１０】
（２）前記（１）によって、置換ノズルと空気巻き込み防止ノズルを用いて行なえるので、容易に実施することができる。
【００１１】
（３）請求項２も前記（１）、（２）と同様な効果が得られる。
【００１２】
（４）請求項３も前記（１）、（２）と同様な効果が得られるとともに、より完全に置換することができる。
【００１３】
（５）請求項４も前記（１）、（２）と同様な効果が得られるとともに、先端部の傾斜面によって、容器内の空気と不活性ガスの置換率を高めることができる。
【００１４】
（６）請求項５も前記（１）、（２）と同様な効果が得られる。
【発明を実施するための最良の形態】
【００１５】
以下、図面に示す本発明を実施するための最良の形態により、本発明を詳細に説明する。
【００１６】
図１ないし図８に示す本発明を実施するための最良の第１の形態において、１は本発明のガス置換方法で、このガス置換方法１はお茶、コーヒー、果汁飲料等の内容物２が充填されたアルミボトル缶、ペットボトル、ビン等のキャップ３を用いる容器４の上部空間５に位置する空気を炭酸ガス、窒素ガス、炭酸ガスと窒素ガスの混合ガス等の不活性ガスに置換するもので、内容物２が充填されて、コンベヤー６で搬送されてくる容器に、キャッパー７のキャップキャッチャー８でキャップ３をかぶせる直前に、該容器４内へ不活性ガスをガス置換用フラッシュノズル９でフラッシュして行なう。
【００１７】
前記ガス置換用フラッシュノズル９は図５ないし図７に示すように、前記容器４の開口部４ａよりも外径寸法が小径で、該容器４の開口部４ａのほぼ中央部へ不活性ガスをフラッシュすることができる第１の不活性ガス供給ホース１０に接続される置換ノズル１１と、この置換ノズル１１の後端部を除く外周部を覆い、前記容器４の開口部４ａの周縁へ不活性ガスをフラッシュすることができる第２の不活性ガス供給ホース１２に接続される空気巻き込み防止ノズル１３と、この空気巻き込み防止ノズル１３の後端部に介装されたフィルター１４と、前記置換ノズル１１および前記空気巻き込み防止ノズル１３の先端部に形成された先端部がほぼ同一面の傾斜面１５、１６とで構成されている。
【００１８】
なお、ガス置換用フラッシュノズル９とキャッパー７との間にはノズルカバー１７を設けて、該部の移同時に空気が再流入するのを阻止する。
【００１９】
上記のガス置換用フラッシュノズル９を用いると、容器４の上部空間５に位置している空気は、図８に示すように置換ノズル１１でフラッシュされる不活性ガスによって外部へ押し出されるとともに、外部へ押し出された空気は空気巻き込み防止ノズル１３でフラッシュされる不活性ガスによって、不活性ガスがフラッシュされ、部位外へ導かれる。
【００２０】
なお、置換ノズル１１よりフラッシュされる不活性ガスの流速よりも空気巻き込み防止ノズル１３よりフラッシュされる不活性ガスの流速が低いと、容器１４の上部空間５に位置する空気を効率よく外部へ排出することができるが、容器４の開口部４ａの大きな置換ノズル１１の径や空気巻き込み防止ノズル１３の径等によっては、必ずしもこの条件に設定しなくても効率よく置換することができる場合もある。
[発明を実施するための異なる形態]
【００２１】
次に、図９ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図９ないし図１１に示す本発明を実施するための第２の形態において、前記本発明を実施するための最良の第１の形態と主に異なる点は、フィルター１４の取付部より順次拡開状に形成するとともに、先端部側を同径状に加工した空気巻き込み防止ノズル１３Ａと、先端部を直角に切断した置換ノズル１１Ａを用いたガス置換用フラッシュノズル９Ａを用いた点で、このように構成されたガス置換用フラッシュノズル９Ａを用いたガス置換方法１Ａを行なっても、前記本発明を実施するための最良の第１の形態と同様な作用効果が得られる。
【００２３】
図１２ないし図１４に示す本発明を実施するための第３の形態において、前記本発明を実施するための第２の形態と主に異なる点は、フィルター１４取付部より順次拡開状に形成するとともに、先端部を直角に切断した空気巻き込み防止ノズル１３Ｂを用いたガス置換用フラッシュノズル９Ｂを用いた点で、このように構成されたガス置換用フラッシュノズル９Ｂを用いたガス置換方法１Ｂを行なってもよい。
【産業上の利用可能性】
【００２４】
本発明はガス置換方法およびガス置換用フラッシュノズルを使用する産業および製造する産業で利用される。
【図面の簡単な説明】
【００２５】
【図１】本発明を実施するための最良の第１の形態の概略平面図。
【図２】本発明を実施するための最良の第１の形態の概略側面図。
【図３】本発明を実施するための最良の第１の形態の要部縦断面図。
【図４】本発明を実施するための最良の第１の形態の要部横断面図。
【図５】本発明を実施するための最良の第１の形態のガス置換用フラッシュノズルの側面図。
【図６】本発明を実施するための最良の第１の形態のガス置換用フラッシュノズルの底面図。
【図７】図６の７−７線に沿う断面図。
【図８】本発明を実施するための最良の第１の形態の置換状態の説明図。
【図９】本発明を実施するための第２の形態の側面図。
【図１０】本発明を実施するための第２の形態のガス置換用フラッシュノズルの側面図。
【図１１】本発明を実施するための第２の形態のガス置換用フラッシュノズルの横断面図。
【図１２】本発明を実施するための第３の形態の側面図。
【図１３】本発明を実施するための第３の形態のガス置換用フラッシュノズルの側面図。
【図１４】本発明を実施するための第３の形態のガス置換用フラッシュノズルの横断面図。
【符号の説明】
【００２６】
１、１Ａ、１Ｂ：ガス置換方法、
２：内容物、            ３：キャップ、
４：容器、              ５：上部空間、
６：コンベヤー、        ７：キャッパー、
８：キャップキャッパー、
９、９Ａ、９Ｂ：ガス置換用フラッシュノズル、
１０：第１の不活性ガス供給ホース、
１１、１１Ａ：置換ノズル、
１２：第２の不活性ガス供給ホース、
１３、１３Ａ、１３Ｂ：空気巻き込み防止ノズル、
１４：フィルター、      １５、１６：傾斜面、
１７：ノズルカバー。
【図１】
2006315733.tif 000003
【図２】
2006315733.tif 000004
【図３】
2006315733.tif 000005
【図４】
2006315733.tif 000006
【図５】
2006315733.tif 000007
【図６】
2006315733.tif 000008
【図７】
2006315733.tif 000009
【図８】
2006315733.tif 000010
【図９】
2006315733.tif 000011
【図１０】
2006315733.tif 000012
【図１１】
2006315733.tif 000013
【図１２】
2006315733.tif 000014
【図１３】
2006315733.tif 000015
【図１４】
2006315733.tif 000016